(57)【要約】      （修正有）【課題】就寝者に快適かつ確実な目覚めを促すことができる光目覚まし時計を提供する。【解決手段】光目覚まし時計１の可動本体部３は、覚醒手段として駆動手段と光発生手段１５とを有し、検出手段として顔検出手段１８を有し、光目覚まし時計１の設置本体部２は、設定手段として光設定手段を有し、制御手段として、可動本体部３を回動させる可動本体部駆動制御手段と、駆動開始時刻に光発生手段１５の駆動を開始するとともに光発生手段１５の発生する光量が徐々に増加して起床時刻に最大となるように光発生手段１５を駆動する光制御手段と、顔検出手段１８から入力する就寝者の顔の検出信号に基づいて光発生手段１５が就寝者の顔に向くように可動本体部駆動制御手段により駆動手段を駆動して可動本体部３を回動する顔認証制御手段と、を有する。【選択図】図１
2016211872.tif 000002
【特許請求の範囲】
【請求項１】
設定した起床時刻に就寝者を光で目覚めさせる動作を行う光目覚まし時計であって、
設置位置に安定的に設置するための設置本体部と、前記設置本体部に対して開閉可能に連結されるともに回動可能に連結される可動本体部と、を備え、
前記可動本体部は、目覚まし動作を行う覚醒手段と、就寝者の睡眠状態を検出する検出手段と、を備え、
前記覚醒手段は、前記設置本体部に対して可動本体部を回動させる駆動手段と、光を発生する光発生手段と、を有し、
前記検出手段は、戦記就寝者の顔を検出する顔検出手段を有し、
前記設置本体部は、目覚まし動作を設定する設定手段と、目覚まし動作を制御する制御手段と、を備え、
前記設定手段は、前記就寝者を目覚めさせる起床時刻を設定するとともに前記起床時刻前に駆動を開始した前記光発生手段の発生する光量が徐々に増加して前記起床時刻に最大となる駆動開始時刻を設定する光設定手段を有し、
前記制御手段は、前記駆動手段を駆動して前記可動本体部を回動させる可動本体部駆動制御手段と、前記光設定手段から入力する設定信号に基づいて前記駆動開始時刻に前記光発生手段の駆動を開始するとともに前記光発生手段の発生する光量が徐々に増加して前記起床時刻に最大となるように前記光発生手段を駆動する光制御手段と、前記顔検出手段から入力する就寝者の顔の検出信号に基づいて前記光発生手段が就寝者の顔に向くように前記可動本体部駆動制御手段により前記駆動手段を駆動して前記可動本体部を回動する顔認証制御手段と、を有することを特徴とする光目覚まし時計。
【請求項２】
前記設定手段は、前記起床時刻の後の予め設定された再駆動時刻に前記光発生手段が光の発生・消滅を短い時間間隔で繰り返すように前記光発生手段を駆動させるか否かを設定する光再駆動設定手段と、発生する光量が緩やかに増減変化するように前記光発生手段を駆動させるか否かを設定するとともに発生する光量が緩やかに増減変化するように前記光発生手段の駆動を開始してから停止するまでの光量変化時間を設定する光休息設定手段と、を有し、
前記光制御手段は、前記光再駆動設定手段から入力する設定信号に基づいて前記再駆動時刻に前記光発生手段が光の発生・消滅を短い時間間隔で繰り返すように前記光発生手段を駆動し、前記光休息設定手段から入力する設定信号に基づいて発生する光量が緩やかに増減変化するように前記光発生手段の駆動を開始するとともに前記光発生手段の駆動を開始してから前記光量変化時間を経過すると前記光発生手段の駆動を停止することを特徴とする請求項１に記載の光目覚まし時計。
【請求項３】
前記覚醒手段は、熱を発生する熱発生手段と、音を発生する音発生手段と、を有し、
前記設定手段は、前記熱発生手段を駆動させるか否かを設定する熱設定手段と、前記音発生手段を駆動させるか否かを設定するとともに前記音発生手段が発生する音の種類を設定する音設定手段と、を有し、
前記制御手段は、前記熱設定手段から入力する設定信号に基づいて前記光設定手段の設定に従い前記駆動開始時刻に前記熱発生手段の駆動を開始するとともに前記熱発生手段の発生する熱量が前記起床時刻に最大となるように前記熱発生手段を駆動する熱制御手段と、前記音設定手段から入力する設定信号に基づいて前記光設定手段の設定に従い前記駆動開始時刻に前記音発生手段の駆動を開始するとともに前記音発生手段の発生する音量が前記起床時刻に最大となるように前記音発生手段を駆動する音制御手段と、を有することを特徴とする請求項１または請求項２に記載の光目覚まし時計。
【発明の詳細な説明】
【技術分野】
【０００１】
この発明は光目覚まし時計に係り、特に、設定した時刻に就寝者を光で目覚めさせる動作を行う光目覚まし時計に関するものである。
【背景技術】
【０００２】
就寝者を目覚めさせる場合、睡眠状態に関わりなく大きな音などにより強制的に身体を目覚めさせることは、起床後の体調に悪影響を及ぼすことから、快適な目覚めを促すことが望ましい。そこで、近年は、就寝者に快適な目覚めを促す目覚まし時計として、光によって使用者を目覚めさせる動作を行う光目覚まし時計が提案されている。
【０００３】
従来の光目覚まし時計には、特許文献１（特開平７−５２７６号公報）に、予め設定した起床時刻になると、発光部に電流が流れて光を発生し、就寝者を目覚めさせる技術が開示されている。
また、従来の光目覚まし時計には、特許文献２（特開２００３−５７３６７号公報）に、予め設定した起床時刻になると、音と同時に光を発生し、就寝者を目覚めさせる技術が開示されている。
【先行技術文献】
【特許文献】
【０００４】
【特許文献１】特開平７−５２７６号公報
【特許文献２】特開２００３−５７３６７号公報
【発明の概要】
【発明が解決しようとする課題】
【０００５】
ところが、前記特許文献１、２に開示される光目覚まし時計は、起床時刻に発生した光を就寝者に適切に照射する機能を有していない。
このため、前記特許文献１、２に開示される光目覚まし時計では、発生した光りで就寝者を適切に目覚めさせる動作を行うことができず、快適かつ確実な目覚めを促す機能を十分に果たすことができない問題があった。
【０００６】
そこで、この発明は、就寝者の睡眠深度に合わせて快適かつ確実な目覚めを促すことができる光目覚まし時計を提供することを目的とする。
【課題を解決するための手段】
【０００７】
この発明は、設定した起床時刻に就寝者を光で目覚めさせる動作を行う光目覚まし時計であって、設置位置に安定的に設置するための設置本体部と、前記設置本体部に対して開閉可能に連結されるともに回動可能に連結される可動本体部と、を備え、前記可動本体部は、目覚まし動作を行う覚醒手段と、就寝者の睡眠状態を検出する検出手段と、を備え、前記覚醒手段は、前記設置本体部に対して可動本体部を回動させる駆動手段と、光を発生する光発生手段と、を有し、前記検出手段は、戦記就寝者の顔を検出する顔検出手段を有し、前記設置本体部は、目覚まし動作を設定する設定手段と、目覚まし動作を制御する制御手段と、を備え、前記設定手段は、前記就寝者を目覚めさせる起床時刻を設定するとともに前記起床時刻前に駆動を開始した前記光発生手段の発生する光量が徐々に増加して前記起床時刻に最大となる駆動開始時刻を設定する光設定手段を有し、前記制御手段は、前記駆動手段を駆動して前記可動本体部を回動させる可動本体部駆動制御手段と、前記光設定手段から入力する設定信号に基づいて前記駆動開始時刻に前記光発生手段の駆動を開始するとともに前記光発生手段の発生する光量が徐々に増加して前記起床時刻に最大となるように前記光発生手段を駆動する光制御手段と、前記顔検出手段から入力する就寝者の顔の検出信号に基づいて前記光発生手段が就寝者の顔に向くように前記可動本体部駆動制御手段により前記駆動手段を駆動して前記可動本体部を回動する顔認証制御手段と、を有することを特徴とする。
【発明の効果】
【０００８】
この発明の光目覚まし時計は、起床時刻の前から光を発生するとともに光量が徐々に増加して起床時刻に最大になるように光を発生し、また、発生する光を就寝者の顔に向けて照射することで、就寝者に快適かつ確実な目覚めを促すことができる。
【図面の簡単な説明】
【０００９】
【図１】図１は可動本体部が開形態の光目覚まし時計の斜視図である。（実施例）
【図２】図２は可動本体部を回動させた光目覚まし時計の斜視図である。（実施例）
【図３】図３は可動本体部が閉形態の光目覚まし時計の斜視図である。（実施例）
【図４】図４は可動本体部が開形態の光目覚まし時計の正面図である。（実施例）
【図５】図５は可動本体部が開形態の光目覚まし時計の平面図である。（実施例）
【図６】図６は可動本体部が開形態の光目覚まし時計の側面図である。（実施例）
【図７】図７は光目覚まし時計のシステムブロック図である。（実施例）
【図８】図８は色温度の異なる２つの光の光量変化を示すグラフである。（実施例）
【図９】図９は集光板を備える光目覚まし時計の斜視図である。（実施例）
【発明を実施するための形態】
【００１０】
以下、図面に基づいて、この発明の実施例を説明する。
【実施例】
【００１１】
図１〜図９は、この発明の実施例を示すものである。図１〜図６において、設定した起床時刻に就寝者を光で目覚めさせる動作を行う光目覚まし時計１は、設置本体部２と、可動本体部３と、を備える。
設置本体部２は、図４〜図６に記すように、円板形状に形成された設置位置に安定的に設置するための設置体４からなり、設置体４の周縁に係合窪部５を備える。
可動本体部３は、設置本体部２よりも小径の円板形状に形成された目覚まし動作を行う可動体６からなり、設置体４の係合窪部５に係合するように可動体６の周縁に付設される別体の係合突部７を備える。係合突部７は、設置体４の係合窪部５に係合され、開閉軸８により設置体４に回動可能に軸支される。また、係合突部７は、開閉軸８と直交する回動軸９により可動体６に回動可能に軸支される。
これにより、可動本体部３は、設置本体部２に対して開閉軸８を中心に開閉可能に連結されるともに、開形態においては開閉軸８と直交する回動軸９を中心に設置本体部２に対して回動可能に連結される。
【００１２】
可動本体部３は、図７に示すように、目覚まし動作を行う覚醒手段１０と、就寝者の睡眠状態を検出する検出手段１１と、を備える。
【００１３】
覚醒手段１０は、モータ１２と、第１表示部１３及び第２表示部１４と、ＬＥＤ発光器１５と、赤外線発生器１６と、スピーカ１７と、を有する。
モータ１２は、可動体６の内部に配置され、設置本体部２に対して開形態の可動本体部３を回動させる駆動手段を構成する。第１表示部１３及び第２表示部１４は、現在時刻及び目覚まし動作の情報を表示する表示手段を構成する。第１表示部１３は、可動体６の中央に円形状に配置され、第２表示部１４よりも大きい表示領域を備え、現在時刻や日時、文字などを表示する。第２表示部１４は、係合突部７の略中央に横長四角形状に配置され、設定した起床時刻などを表示する。
ＬＥＤ発光器１５は、第１表示部１３の表示領域内に配置され、光を発生する光発生手段を構成する。ＬＥＤ発光器１５は、例えば図８に示すように、色温度２０００ｋ（オレンジ色）と５０００ｋ（白色）との少なくとも２色の光を発生し、日の出時の暗いオレンジ色から日の出後の明るい白色に徐々に変化する光を発生し、かつ、２５００ｌｕｘ以上の光量を発生することができる。
赤外線発生器１６は、第１表示部１３の表示領域外にあって可動体６の外周にある円環形状の非表示領域の最上部から一側に偏らせて配置され、熱を発生する熱発生手段を構成する。スピーカ１７は、可動体６の円環形状の非表示領域の最上部から他側に偏らせて配置され、音を発生する音発生手段を構成する。
【００１４】
検出手段１１は、カメラ１８を有する。
カメラ１８は、可動体６の円環形状の非表示領域の赤外線発生器１６とスピーカ１７との間の最上部に配置され、就寝者の顔の位置を検出するための顔検出手段を構成する。
【００１５】
設置本体部２は、図７に示すように、時刻信号を出力する計時手段である時計１９と、目覚まし動作を設定する設定手段２０と、目覚まし動作を制御する制御手段２１と、を備える。
【００１６】
設定手段２０は、増加操作スイッチ２２（以下「+スイッチ」と記す。）と、減少操作スイッチ（以下「−スイッチ」と記す。）２３と、時計操作スイッチ２４と、電源操作スイッチ２５と、目覚まし操作スイッチ２６と、スヌーズ操作スイッチ２７と、光休息操作スイッチ２８と、熱操作スイッチ２９と、音操作スイッチ３０と、を有する。
各操作スイッチ２２〜３０は、図５に示すように、設置本体部２の周縁に配置され、設定信号を制御手段２１に入力する。
【００１７】
＋スイッチ２２は、操作により数値を増加させる。−スイッチ２３は、操作により数値を減少させる。
時計操作スイッチ２４は、＋スイッチ２２及び−スイッチ２３を合わせて操作することで、時計１９の現在時刻を設定する。時計操作スイッチ２４、＋スイッチ２２及び−スイッチ２３は、時刻設定手段を構成する。
電源操作スイッチ２５は、ＬＥＤ発光器１５を任意に駆動・停止するとともに、＋スイッチ２２及び−スイッチ２３を合わせて操作することで、任意に駆動したＬＥＤ発光器１５の発生する光の色温度及び強さを設定する。電源操作スイッチ２５、＋スイッチ２２及び−スイッチ２３は、発光設定手段を構成する。
【００１８】
目覚まし操作スイッチ２６は、＋スイッチ２２及び−スイッチ２３、時計操作スイッチ２４を合わせて操作することで、ＬＥＤ発光器１５が発生する光で就寝者を目覚めさせる起床時刻を設定するとともに、起床時刻前に駆動を開始したＬＥＤ発光器１５の発生する光量が徐々に増加して起床時刻に最大となる駆動開始時間を設定する。目覚まし操作スイッチ２６、＋スイッチ２２及び−スイッチ２３、時計操作スイッチ２４は、光設定手段を構成する。
【００１９】
スヌーズ操作スイッチ２７は、起床時刻の後の予め設定された再駆動時刻に、ＬＥＤ発光器１５が光の発生・消滅を短い時間間隔で繰り返すように、ＬＥＤ発光器１５を駆動させるか否かを設定する。短い時間間隔で発生・消滅を繰り返す光は、例えば白・青系とする。スヌーズ操作スイッチ２７によるＬＥＤ発光器１５の駆動は、目覚まし操作スイッチ２６の操作により停止される。スヌーズ操作スイッチ２７、目覚まし操作スイッチ２６は、光再駆動設定手段を構成する。
光休息操作スイッチ２８は、発生する光量が緩やかに増減変化するようにＬＥＤ発光器１５を駆動させるか否かを設定するとともに、＋スイッチ２２及び−スイッチ２５、時計操作スイッチ２４を合わせて操作することで、発生する光量が緩やかに増減変化するように駆動されるＬＥＤ発光器１５の駆動を開始してから停止するまでの光量変化時間を設定する。光量が緩やかに増減変化する光は、例えば、オレンジ系とする。光休息操作スイッチ２８、＋スイッチ２２及び−スイッチ２３、時計操作スイッチ２４は、光休息設定手段を構成する。
【００２０】
熱操作スイッチ２９は、赤外線発生器１６を駆動させるか否かを設定する。熱操作スイッチ２９は、熱設定手段を構成する。
音操作スイッチ３０は、スピーカ１７を駆動させるか否かを設定するとともに、＋スイッチ２２及び−スイッチ２３を合わせて操作することでスピーカ１７が発生する音の種類を設定する。音操作スイッチ３０、＋スイッチ２２及び−スイッチ２３は、音設定手段を構成する。
【００２１】
制御手段２１は、入力設定制御手段３１と、時計制御手段３２と、経過時間計測手段３３と、表示制御手段３４と、可動本体部駆動制御手段３５と、光制御手段３６と、顔認証制御手段３７と、熱制御手段３８と、音制御手段３９と、を有する。
各制御手段３１〜３９は、設置本体部２の内部に配置され、駆動信号を第１表示部１３〜スピーカ１７に出力する。
【００２２】
入力設定制御手段３１は、＋スイッチ２２などの各設定スイッチ２２〜３０から入力する設定信号に基づいて、各制御手段３２〜３９に制御動作を設定させる。
時計制御手段３２は、＋スイッチ２２及び−スイッチ２３、時計操作スイッチ２４から入力する設定信号により時計１９の時刻を現在時刻に設定する。
経過時間計測手段３３は、各制御手段３２〜３９により行われる制御動作の経過時間を計測する。
表示制御手段３４は、時計１９から入力する時刻信号及び各設定スイッチ２２〜３０から入力する設定信号に基づいて、第１表示部１３及び第２表示部１４に時刻や日時、文字などの情報を表示させる。
可動本体部駆動制御手段３５は、モータ１２を駆動して可動本体部３を回動させる。
【００２３】
光制御手段３６は、電源操作スイッチ２５、＋スイッチ２２及び−スイッチ２３から入力する設定信号に基づいて、ＬＥＤ発光器１５を駆動して設定した色温度及び強さの光を発生するとともに、ＬＥＤ発光器１５の駆動を開始してから、経過時間計測手段３３の計測する経過時間が予め設定された発光時間を経過すると、ＬＥＤ発光器１５の駆動を停止する。
また、光制御手段３６は、目覚まし操作スイッチ２６、＋スイッチ２２及び−スイッチ２３、時計操作スイッチ２４から入力する設定信号に基づいて、起床時刻よりも前の駆動開始時刻にＬＥＤ発光器１５の駆動を開始するとともに、駆動を開始したＬＥＤ発光器１５の発生する光量が、経過時間計測手段３３の計測する駆動開始時刻からの経過時間に応じて徐々に増加して、起床時刻に最大となるようにＬＥＤ発光器１５を駆動する。
さらに、光制御手段３６は、スヌーズ操作スイッチ２７から入力する設定信号に基づいて、再駆動時刻にＬＥＤ発光器１５が光の発生・消滅を短い時間間隔で繰り返すようにＬＥＤ発光器１５の駆動を開始する。
そして、光制御手段３６は、光休息操作スイッチ２８、＋スイッチ２２及び−スイッチ２３、時計操作スイッチ２４から入力する設定信号に基づいて、ＬＥＤ発光器１５の発生する光量が緩やかに増減変化するようにＬＥＤ発光器１５の駆動を開始するとともに、ＬＥＤ発光器１５の駆動を開始してから経過時間計測手段３３の計測する経過時間が光量変化時間を経過すると、ＬＥＤ発光器１５の駆動を停止する。
【００２４】
顔認証制御手段３７は、カメラ１８から入力する就寝者の映像に基づいて就寝者の顔を認識し、光制御手段３６によるＬＥＤ発光器１５の駆動に合わせて、ＬＥＤ発光器１５が就寝者の顔に向けて光を照射するように、可動本体部駆動制御手段３５によりモータ１２を駆動して可動本体部３を回動する。顔認証制御手段３７は、目覚まし操作スイッチ２６により目覚まし動作として駆動開始時刻にＬＥＤ発光器１５を駆動することを設定すると、ＥＤ発光器１５の駆動に合わせて制御動作を行う。
熱制御手段３８は、熱操作スイッチ２９から入力する設定信号に基づいて、目覚まし操作スイッチ２６の設定に従い駆動されるＬＥＤ発光器１５の駆動に合わせて、駆動開始時刻に赤外線発生器１６の駆動を開始するとともに、駆動を開始した赤外線発生器１６の発生する熱量が、経過時間計測手段３３の計測する駆動開始時刻からの経過時間に応じて徐々に増加し、起床時刻に最大となるように赤外線発生器１６を駆動する。
音制御手段３９は、音操作スイッチ３０、＋スイッチ２２及び−スイッチ２３から入力する設定信号に基づいて、目覚まし操作スイッチ２６の設定に従い駆動されるＬＥＤ発光器１５の駆動に合わせて、駆動開始時刻にスピーカ１７の駆動を開始するとともに、駆動を開始したスピーカ１７の発生する音量が、経過時間計測手段３３の計測する駆動開始時刻からの経過時間に応じて徐々に増加し、起床時刻に最大となるようにスピーカ１７を駆動する。
【００２５】
次に作用を説明する。
光目覚まし時計１は、図３に示すように、設置本体部２に対して可動本体部３を開閉軸８を中心に倒すことで、閉形態にすることができる。閉形態の光目覚まし時計１は、２段円板形状でコンパクトであり、収納も容易である。
また、光目覚まし時計１は、図１に示すように、設置本体部２に対して可動本体部３を開閉軸８を中心に起こすことで、開形態にする。開形態の光目覚まし時計１は、第１表示部１３、第２表示部１４が略垂直になることで、時刻や日時、文字などの情報の読み取りが容易である。
【００２６】
光目覚まし時計１は、図１に示すように、目覚まし機能の使用時には設置本体部２に対して可動本体部３を起こし、開形態にする。開形態の光目覚まし時計１は、設定手段２０の時計操作スイッチ２３〜音操作スイッチ３０を操作して目覚まし動作を設定する。
目覚まし動作の設定においては、目覚まし操作スイッチ２６に、＋スイッチ２２及び−スイッチ２３、時計操作スイッチ２４を合わせて操作することで、起床時刻を設定し、駆動開始時刻を設定する。
【００２７】
光目覚まし時計１は、目覚まし操作スイッチ２６の操作により、目覚まし動作として駆動開始時刻にＬＥＤ発光器１５を駆動することを設定すると、起床時刻の前の駆動開始時刻に光制御手段３６によりＬＥＤ発光器１５の駆動を開始する。
駆動したＬＥＤ発光器１５の発生する光は、例えば図８に示すように、駆動開始時刻から光量が徐々に増加して起床時刻に最大となるように発生される。図８において、ＬＥＤ発光器１５は、駆動開始時（０％）に色温度２０００ｋのオレンジ系の光の発生を開始し、起床時刻までの経過時間に応じて徐々に光量を増加する。
ＬＥＤ発光器１５は、経過時間が起床時刻までの５０％に達すると、色温度５０００ｋの白・青系の光の発生を開始し、起床時刻までの経過時間に応じて白・青系の光量を徐々に増加する。一方、ＬＥＤ発光器１５は、経過時間が起床時刻までの７５％に達すると、オレンジ系の光量を一定にし、経過時間が８０％に達すると、オレンジ系の光量の減少を開始し、経過時間が９５％に達すると、オレンジ系の光の発生を停止する。
ＬＥＤ発光器１５は、経過時間が起床時刻までの７５％に達すると、白・青系の光量の増加する割合（増加率）を大きくし、その後、経過時間が９０％、９５％に達する毎に白・青系の光量の増加率を段階的に大きくし、経過時間が１００％（起床時刻）になると、発生する白・青系の光量を最大にする。ＬＥＤ発光器１５は、起床時刻において２５００ｌｕｘ以上の光量（例えば、１００００ｌｕｘ超え）を発生する。
光制御手段３６は、ＬＥＤ発光器１５の駆動後において、目覚まし操作スイッチ２６が停止の操作をされると、ＬＥＤ発光器１５の駆動を停止する。
このように、光目覚まし時計１は、起床時刻の前から光を発生するとともに発生した光量が徐々に増加して起床時刻に最大になるように光を発生することで、就寝者に快適な目覚めを促すことができる。
【００２８】
光目覚まし時計１は、目覚まし操作スイッチ２６の操作により目覚まし動作として駆動開始時刻にＬＥＤ発光器１５を駆動することを設定すると、光制御手段３６によるＬＥＤ発光器１５の駆動に合わせて、駆動開始時刻に顔認証制御手段３７による制御動作を開始する。
顔認証制御手段３７は、カメラ１８から入力する就寝者の映像に基づいて就寝者の顔の位置を認識し、図２に矢印Ｒで示すように、ＬＥＤ発光器１５が就寝者の顔に向くように、モータ１２を駆動して可動本体部３を開形態の原位置から回動する。ＬＥＤ発光器１５は、可動本体部３の回動により就寝者の顔に向けられ、発生する光を就寝者の顔に向けて照射する。
顔認証制御手段３７は、ＬＥＤ発光器１５の駆動後において、目覚まし操作スイッチ２６が停止の操作をされると、モータ１２を駆動して就寝者の顔に向けられた可動本体部３を開形態の原位置に戻す。
光目覚まし時計１は、設置本体部２に対して開形態の原位置に戻った可動本体部３を開閉軸８を中心に倒すことで、閉形態にすることができる。
このように、光目覚まし時計１は、起床時刻の前から光を発生するとともに発生する光量が徐々に増加して起床時刻に最大になるように光を発生し、また、発生する光を就寝者の顔に向けて照射することで、就寝者に快適かつ確実な目覚めを促すことができる。
【００２９】
光目覚まし時計１は、スヌーズ操作スイッチ２７によりＬＥＤ発光器１５を駆動させることを設定すると、光制御手段３６によって、スヌーズ操作スイッチ２７から入力する設定信号に基づいて、起床時刻の後に設定された再駆動時刻にＬＥＤ発光器１５が白・青系の光の発生・消滅を短い時間間隔で繰り返すようにＬＥＤ発光器１５の駆動を開始する。
光制御手段３６は、ＬＥＤ発光器１５の駆動後において、目覚まし操作スイッチ２６が停止の操作をされると、ＬＥＤ発光器１５の駆動を停止する。
このように、光目覚まし時計１は、起床時刻の後に白・青系の光の発生・消滅を短い時間間隔で繰り返すことで、起床時刻の後に就寝者に確実な目覚めを促すことができる。
【００３０】
また、光目覚まし時計１は、光休息操作スイッチ２８によりＬＥＤ発光器１５を駆動させることを設定すると、光制御手段３６によって、光休息操作スイッチ２８から入力する設定信号に基づいて、発生するオレンジ系の光量が緩やかに増減変化するようにＬＥＤ発光器１５を駆動する。
光制御手段３６は、ＬＥＤ発光器１５の駆動を開始してからの時間が光休息操作スイッチ２８で設定した光量変化時間を経過すると、ＬＥＤ発光器１５の駆動を停止する。
このように、光目覚まし時計１は、発生するオレンジ系の光量を緩やかに増減変化させることで、ろうそくの炎のように不規則に揺らぐ光を再現し、緊張やストレスを緩和して心を落ち着かせることができ、リラックスした自然な入眠を促すことができる。
【００３１】
光目覚まし時計１は、熱操作スイッチ２９により赤外線発生器１６を駆動させることを設定すると、熱制御手段３８によって、目覚まし操作スイッチ２６の設定に従い駆動されるＬＥＤ発光器１５の駆動に合わせて、駆動開始時刻に赤外線発生器１６の駆動を開始する。
熱制御手段３８は、駆動を開始した赤外線発生器１６の発生する熱量を駆動開始時刻からの経過時間に応じて徐々に増加し、起床時刻に最大となるように赤外線発生器１６を駆動する。熱制御手段３８は、赤外線発生器１６の駆動後において、熱操作スイッチ２９が停止の操作をされると、赤外線発生器１６の駆動を停止する。
また、光目覚まし時計１は、音操作スイッチ３０によりスピーカ１７を駆動させることを設定すると、音制御手段３９によって、目覚まし操作スイッチ２６の設定に従い駆動されるＬＥＤ発光器１５の駆動に合わせて、駆動開始時刻にスピーカ１７の駆動を開始する。
音制御手段３９は、駆動を開始したスピーカ１７の発生する音量を駆動開始時刻からの経過時間に応じて徐々に増加し、起床時刻に最大となるようにスピーカ１７を駆動する。音制御手段３９は、スピーカ１７の駆動後において、音操作スイッチ３０が停止の操作をされると、スピーカ１７の駆動を停止する。
熱制御手段３８による熱の発生、音制御手段３９による音の発生は、光の発生に合わせて両者を同時に発生することができ、また、光の発生に合わせていずれか一方を発生することができる。
このように、光目覚まし時計１は、起床時刻の前から光に合わせて熱や音を発生するとともに、光量、熱量、音量が徐々に増加して起床時刻に最大になるように光、熱、音を発生することで、就寝者に快適かつ確実な目覚めを促すことができる。
【００３２】
なお，上述実施例は、種々応用改変が可能である。
例えば、光目覚まし時計１は、図９に示すように、ＬＥＤ発光器１５を配置した第１表示部１３の表示領域を囲むように、ＬＥＤ発光器１５の発生する光を集めて特定方向に照射させる集光板４０を配置することで、集光板４０によって光を集めて就寝者の顔に効果的に照射することができ、就寝者に確実な目覚めを促すことができる。
また、光目覚まし時計１は、携帯電話やスマートフォンなどの外部機器との間で信号を送受信する外部信号送受信手段４１を設け、外部信号送受信手段４１を介して外部機器との間で制御信号を送受信する無線制御手段４２を制御手段２１に設けることで、外部機器と設定手段２０及び各制御手段３２〜３９、４２との間で相互に操作・制御することが可能になる。
【産業上の利用可能性】
【００３３】
この発明は、起床時刻の前から光を発生するとともに光量が徐々に増加して起床時刻に最大になるように光を発生し、また、発生する光を就寝者の顔に向けて照射することで、就寝者に快適かつ確実な目覚めを促すことができるものであり、目覚まし時計に限らず、指定時刻に注意を喚起する装置に応用が可能である。
【符号の説明】
【００３４】
１  光目覚まし時計
２  設置本体部
３  可動本体部
８  開閉軸
９  回動軸
１０  覚醒手段
１１  検出手段
１２  モータ
１３  第１表示部
１４  第２表示部
１５  ＬＥＤ発光器
１６  赤外線発生器
１７  スピーカ
１８  カメラ
１９  時計
２０  設定手段
２１  制御手段
２２  +スイッチ
２３  −スイッチ
２４  時計操作スイッチ
２５  電源操作スイッチ
２６  目覚まし操作スイッチ
２７  スヌーズ操作スイッチ
２８  光休息操作スイッチ
２９  熱操作スイッチ
３０  音操作スイッチ
３１  入力設定制御手段
３２  時計制御手段
３３  経過時間計測手段
３４  表示制御手段
３５  可動本体部駆動制御手段
３６  光制御手段
３７  顔認証制御手段
３８  熱制御手段
３９  音制御手段
４０  集光板
【図１】
2016211872.tif 000003
【図２】
2016211872.tif 000004
【図３】
2016211872.tif 000005
【図４】
2016211872.tif 000006
【図５】
2016211872.tif 000007
【図６】
2016211872.tif 000008
【図７】
2016211872.tif 000009
【図８】
2016211872.tif 000010
【図９】
2016211872.tif 000011